(57)【要約】【課題】梱包に必要とする部品点数を削減し、梱包と廃棄の作業性を向上させた梱包装置を提供することを目的とする。【解決手段】被梱包物１の上下に緩衝材４ａ、４ｂ、５ａ、５ｂを配置し、更に同上下の緩衝材にトレイ状の下部外箱３と上部外箱２とを被せてなる分離型空気調和機の室外機を支持した梱包装置であって、上部外箱２の一辺を延長して延長部９を形成し、この延長部９を被梱包物１の背面側に配置して被梱包物背面の熱交換器を覆った梱包装置。【選択図】  図１
2005022689.tif 000002
【特許請求の範囲】
【請求項１】
被梱包物の上下に緩衝材を配置し、更に同上下の緩衝材に板状の包装材の四辺を折り曲げて形成したトレイ状の下部外箱と上部外箱とを被せてなる分離型空気調和機室外機を支持した梱包装置であって、前記上部外箱の一辺を延長して被梱包物の背面側に配置し、この延長部により被梱包物背面の熱交換器を覆った梱包装置。
【請求項２】
前記上部外箱の一辺を延長し設けた前記延長部に、他の三辺の立上がり面と同じ位置に折曲げ部を設け、前記折曲げ部から延長部の下端との途中に上部外箱の前後内寸法より短い寸法の位置に折曲げ部を設けた請求項１記載の梱包装置。
【請求項３】
前記上部外箱の一辺を延長し設けた前記延長部に、他の三辺の立上がり面と同じ位置に折曲げ部を設け、前記折曲げ部から延長部の下端との途中に複数の折曲げ部と切断線を設け前記延長部の長さを自在とした請求項１または２記載の梱包装置。
【発明の詳細な説明】
【０００１】
【発明の属する技術分野】
本発明は、分離型空気調和機の室外機の梱包に使用する梱包装置に関するものである。
【０００２】
【従来の技術】
例えば、図５に示すように従来の梱包装置としては、トレイ状の外箱２、３の内側に緩衝材４ａ、４ｂ、５ａ、５ｂを設け、外箱２、３に、被梱包物１である分離型空気調和機の室外機と、被梱包物１の背面側の熱交換機を覆った板状の緩衝材７とを支持し、バンド８にて結束して梱包を完成させるものであった（特許文献１参照）。なお、６は被梱包物１を覆う袋である。
【０００３】
【特許文献１】
特開平１０−２０３５６５号公報
【０００４】
【発明が解決しようとする課題】
しかしながら、上記従来の構成では、被梱包物１を支持する緩衝材として、被梱包物１の上下左右の四隅を支持する緩衝材４ａ、４ｂ、５ａ、５ｂと、積み込み等の荷扱い中の膝当される場合などから被梱包物１の背面を保護するために板状の緩衝材７を別部品で用意する必要があるため、部品点数も多くなり高価な梱包装置となるとともに、梱包時の作業性も悪くなるなどの課題を有していた。
【０００５】
また、被梱包物１の背面を保護する緩衝材７を別部品であるため、部品容積が大きく納品時の輸送効率および保管時の保管効率を低下させていた。さらには、梱包材廃棄の場合も、廃棄する部品の容積が大きく作業性を低下させていた。
【０００６】
また、緩衝材７の寸法は一定であるため、被梱包物１をベースに高さ寸法が違う被梱包物を梱包する場合には、部品の共用化が図れず新たに別部品としての緩衝材が必要となり、所有する部品の種類が増加し管理工数を増加させていた。
【０００７】
本発明はこのような従来の課題を解決するものであり、被梱包物を確実に保護できながら、部品点数も低減できて、部品コストを低減できるとともに梱包時および廃棄時の作業性に優れた梱包装置を提供することを目的とする。
【０００８】
【課題を解決するための手段】
上記課題を解決するために本発明は、被梱包物の上下に緩衝材を配置し、更に同上下の緩衝材にトレイ状の下部外箱と上部外箱とを被せてなる分離型空気調和機室外機を支持した梱包装置であって、上部外箱の一辺を延長して延長部を形成し、被梱包物の背面側に配置して被梱包物背面の熱交換器を覆ったものである。
【０００９】
上記構成により、被梱包物を確実に保護できながら、部品点数も低減できて、部品コストを低減できるとともに梱包時および廃棄時の作業性も良好となる。
【００１０】
【発明の実施の形態】
以下本発明の実施の形態について図面を参照して説明する。
【００１１】
（実施の形態１）
図１は、本発明の実施の形態１における梱包装置の斜視図である。図１において、２、３は段ボールなどをトレイ状に形成した上部外箱、下部外箱であり、１は被梱包物となる分離型空気調和機の室外機である。この上部外箱２と下部外箱３との間には被梱包物１を支持する上部緩衝材４ａ、４ｂと下部緩衝材５ａ、５ｂとが接着などにて固定されており、被梱包物１にはほこりなどから被梱包物１を保護する袋６が被せられ、バンド８にて結束して梱包を完成しいる。上部外箱２は板状の包装材の四辺を折り曲げてトレイ状に形成され、この四辺の内の一辺を延長し延長部９が形成され、被梱包物１の背面側に配置して被梱包物１の背面に設けられている熱交換器を覆うようになっている。
【００１２】
上記構成により、被梱包物１である分離型空気調和機の室外機の上部を支持する緩衝材４ａ、４ｂの固定だけでなく背面の熱交換機の部分も保護されるため、上部外箱２と背面の熱交換機を保護する部分とを別の部材で形成する場合に比べて、少ない部品点数となり、安価となるとともに作業性も良好となって作業工数の低減が図られ、ひいては包装費全体としての低減も図られた。
【００１３】
（実施の形態２）
図２は、本発明の実施の形態２における梱包装置の斜視図である。図２において、図１と同じ構成要素については符号を用い、説明を省略する。
【００１４】
図２において、上部外箱２の一辺を延長し形成した延長部９に他の三辺の立上がり面と同じ位置に折曲げ線１０を設け、この折曲げ線１０から延長部の下端辺１１との途中に上部外箱２の前後内寸法より短い寸法の位置に折曲げ線１０を設けており、延長部９は折曲げ線１０にて折り曲げることにより上部外箱２の内側へ収納されている。
【００１５】
上記構成により、延長部９が上部外箱２の内側へ収納することができ、包装材全体をコンパクトにし容積を削減することが可能であり、包装材納品時の輸送効率および保管時の保管効率を向上することができる。さらに廃棄の場合の作業性も向上することができる。
【００１６】
（実施の形態３）
図３は、本発明の実施の形態３における梱包装置の斜視図である。また、図４は、同一実施形態の梱包装置の断面図である。図１と同じ構成要素については符号を用い、説明を省略する。
【００１７】
図３において、上部外箱２の一辺を延長し形成した延長部９に他の三辺の立上がり面と同じ位置に折曲げ線１０を設け、この折曲げ線１０から延長部の下端辺１１との途中に複数の切断線１３を設け、その両端に折曲げ線１２ａ、１２ｂを設けている。
【００１８】
上記構成により、図４に示すように延長部９の途中に設けた切断線１３およびその両端に折曲げ線１２ａ、１２ｂを設けた折返し部１４を上部方向に折り返すことで、延長部９の高さ寸法を可変させることが可能であり、高さの違う被梱包物を梱包する場合に新たに別部品として緩衝材を所有する必要がなくなり部品の種類の増加が防げる。
【００１９】
【発明の効果】
上記のように本発明の請求項１記載の発明によれば、上部外箱の一辺を延長し上部外箱と被梱包物の背面を保護する緩衝材を一体化したことにより、梱包材料の部品点数を削減できて、安価で梱包時の作業性も向上する。さらに梱包材廃棄の場合も、廃棄する部品点数および容積を削減でき作業性に優れることとなる。
【００２０】
また、請求項２記載の発明のように、上部外箱の延長部に設けた折曲げ線にて延長部を上部外箱の内側へ収納ことが可能で箱がコンパクトとなり、部品納品時の輸送効率および保管時の保管効率を向上することができる。さらに廃棄の場合の作業性に優れることとなる。
【００２１】
また、請求項３記載の発明のように、上部外箱の延長部設けた切断線と折曲げ線にて折り曲げることにより、延長部の長さ調整が自在となり部品の共用化を図ることが可能である。
【図面の簡単な説明】
【図１】本発明の実施の形態１を示す梱包装置の斜視図
【図２】本発明の実施の形態２における上部外箱の斜視図
【図３】本発明の実施の形態３における上部外箱の背面図
【図４】本発明の実施の形態３における梱包装置の断面図
【図５】従来の梱包装置の斜視図
【符号の説明】
１  被梱包物
２  上部外箱
３  下部外箱
４ａ、４ｂ  上部緩衝材
５ａ、５ｂ  下部緩衝材
９  延長部
１０  折曲げ線
１１  下端辺
１２ａ、１２ｂ  折曲げ線
１３  切断線
１４  折返し部
【図１】
2005022689.tif 000003
【図２】
2005022689.tif 000004
【図３】
2005022689.tif 000005
【図４】
2005022689.tif 000006
【図５】
2005022689.tif 000007